(57)【要約】【課題】接続ポートを増設せずに、従来の光学ドライブ接続ポートに光学ドライブ型電池を電気的に連接することにより、光学ドライブ型電池はコンピュータの別の電力供給源とする。【解決手段】光学ドライブ、又は光学ドライブ型電池を電気的に連接可能であり、第１光学ドライブ接続ポートと、電力切替回路と、第１電源と、を含むコンピューターにおいて、第１光学ドライブ接続ポートは、光学ドライブ情報端子ユニットと、電池情報端子ユニットと、電力供給/接収端子ユニットと、を含み、電力切替回路は、第１光学ドライブ接続ポートと電気的に連接し、第１電源は、電力切替回路と電気的に連接し、コンピュータが光学ドライブと電気的に連接するときに、電力切替回路を介して第１電力を光学ドライブに供給する。【選択図】図５
2011090659.tif 000002
【特許請求の範囲】
【請求項１】
光学ドライブ、又は光学ドライブ型電池を電気的に連接可能であり、第１光学ドライブ接続ポートと、電力切替回路と、第１電源と、を含むコンピューターにおいて、
前記第１光学ドライブ接続ポートは、光学ドライブ情報端子ユニットと、電池情報端子ユニットと、電力供給/接収端子ユニットと、を含み、
前記電力切替回路は、前記第１光学ドライブ接続ポートと電気的に連接し、
前記第１電源は、前記電力切替回路と電気的に連接し、前記コンピュータが前記光学ドライブと電気的に連接するときに、前記電力切替回路を介して第１電力を前記光学ドライブに供給し、
前記コンピュータが前記光学ドライブと電気的に連接するときには、前記光学ドライブ情報端子ユニットと前記電力供給/接収端子ユニットとが前記光学ドライブと電気的に連接し、前記コンピュータが前記光学ドライブ型電池と電気的に連接するときには、前記電池情報端子ユニットと前記電力供給/接収端子ユニットとが前記光学ドライブ型電池と電気的に連接し、前記光学ドライブ型電池は前記電力切替回路を介して第２電力を供給することを特徴とするコンピュータ。
【請求項２】
前記光学ドライブは、CD-ROM読取りモジュールと、第２光学ドライブ接続ポートと、を有し、前記コンピュータが前記光学ドライブと電気的に連接するときには、前記第２光学ドライブ接続ポートが前記第１光学ドライブ接続ポートと通信的に連接し、前記第１光学ドライブ接続ポートの前記光学ドライブ情報端子ユニットにより前記光学ドライブの情報が前記コンピュータに伝送され、前記第１電源は、前記電力切替回路と前記第１光学ドライブ接続ポートの前記電力供給/接収端子ユニットとを介して、前記第１電力を前記光学ドライブに供給することを特徴とする、請求項１に記載のコンピュータ。
【請求項３】
前記光学ドライブ型電池は電池接続ポートを有し、前記コンピュータが前記光学ドライブ型電池と電気的に連接するときには、前記電池接続ポートが前記第１光学ドライブ接続ポートと電気的に連接し、前記第１光学ドライブ接続ポートの前記電力供給/接収端子ユニットと前記電力切替回路とを介して前記第２電力が前記コンピュータに供給されると同時に、前記第１光学ドライブ接続ポートの前記電池情報端子ユニットを介して電池の情報が前記コンピュータに伝送されることを特徴とする、請求項１または２に記載のコンピュータ。
【請求項４】
更に、前記電力切替回路と電気的に連接する電力ガイドレールを含み、前記電力ガイドレールにより、前記コンピュータは、前記光学ドライブ型電池と電気的に連接するときに、前記第２電力を接収することができることを特徴とする、請求項１から３の何れか１項
に記載のコンピュータ。
【請求項５】
前記電力切替回路は、第１ダイオードと、第２ダイオードと、を含み、前記第１ダイオードは、その陽極端が前記第１電源と電気的に連接し、その陰極端が前記電力供給/接収端子ユニットと電気的に連接し、前記第２ダイオードは、その陽極端が前記電力ガイドレールと電気的に連接し、その陰極端が前記電力供給/接収端子ユニットと電気的に連接することを特徴とする、請求項４に記載のコンピュータ。
【請求項６】
前記電力切替回路は、更に、スイッチを含み、前記スイッチは、前記電力ガイドレールと前記電力供給/接収端子ユニットの間に設けられ、前記電力ガイドレール及び前記電力供給/接収端子ユニットと電気的に連接し、且つ制御処理モジュールと通信的に連接し、前記制御処理モジュールからのスイッチ制御信号を接収すると、前記スイッチの開閉を切替えることができることを特徴とする、請求項５に記載のコンピュータ。
【請求項７】
請求項１に記載のコンピュータに適用可能であり、電池接続ポートを有し、
前記電池接続ポートは、
前記第１光学ドライブ接続ポートの前記電力供給/接収端子ユニットと電気的に連接することにより、前記第２電力を前記コンピュータに供給する第３電力供給端子ユニットと、
前記光学ドライブ接続ポートの前記電池情報端子ユニットと通信的に連接することにより、電池の資料を前記コンピュータに伝送する第３電池情報端子ユニットと、
を備えることを特徴とする光学ドライブ型電池。
【発明の詳細な説明】
【技術分野】
【０００１】
本発明は、コンピューターと光学ドライブ型電池に関し、特に、光学ドライブ、又は光学ドライブ型電池を電気的に連接可能なコンピューターと、上記のようなコンピューターに適用可能な光学ドライブ型電池に関するものである。
【背景技術】
【０００２】
コンピュータは現代の生活における不可欠なものであり、特に、ノートブック型パーソナルコンピュータはビジネスマンの常備のものであり、しかし、ノートブック型パーソナルコンピュータを利用する場合には、電力供給の問題が最も心配なことである。
【０００３】
従来のノートブック型パーソナルコンピュータの電力供給方式は二つあり、一つは、外部の電源と電気的に連接するケーブルを介して電力を接収し、二つは、ノートブック型パーソナルコンピュータに組付けられる電池により電力を接収する。しかし、室外の作業場所での外部の電源が少なく、且つノートブック型パーソナルコンピュータに組付けられる電池によれば、数時間しか電力を供給できず、これにより、利用の途中に電力が切れる場合がよくあった。
【０００４】
上記の問題を解決するために、使用頻度の少ない光学ドライブの占める空間に電池を配置することがある。図１を参照する。図１は光学ドライブを有する従来のコンピューターを示す模式図である。コンピューター１００は、制御処理モジュール１１と、光学ドライブ接続ポート１２と、第１電源１３と、電力ガイドレール１４と、を有する。
【０００５】
前記光学ドライブ接続ポート１２は、光学ドライブ収容台Ｈ１に設けられ、前記制御処理モジュール１１と通信的に連接し、第１情報端子ユニット１２１と、電力供給端子ユニット１２２と、を含む。前記第１電源１３は、前記光学ドライブ接続ポート１２と電気的に連接し、電力ガイドレールを介して前記制御処理モジュール１１と電気的に連接する。
【０００６】
CD-ROM読取りモジュール２１と第２光学ドライブ接続ポート２２とを有する光学ドライブ２００は、前記光学ドライブ収容台Ｈ１に挿入され前記光学ドライブ接続ポート１２と電気的に連接するときには、前記第２光学ドライブ接続ポート２２内にある第２情報端子ユニット２２１が前記第１情報端子ユニット１２１と通信的に連接し、これにより、CD-ROMの情報が前記制御処理モジュール１１に伝送され、なお、電力接収端子ユニット２２２が前記電力供給端子ユニット１２２と電気的に連接し、これにより、前記第１電源１３から電力を接収して前記光学ドライブ２００の稼動を維持することができる。
【０００７】
図２を参照する。図２は第２電池接続ポートを有する従来のコンピューターに光学ドライブを挿入した状態の模式図である。上記のコンピューター１００と相違する点は、コンピューター３００は、制御処理モジュール３１と、光学ドライブ接続ポート３２と、第２電池接続ポート３３と、第１電源３４と、電力ガイドレール３５と、を有すると共に、光学ドライブ収容台Ｈ２の内部には、更に、第２電池接続ポート３３が設けられ、前記第２電池接続ポート３３は、前記制御処理モジュール３１及び前記電力ガイドレール３５と電気的に連接し、第２電池情報端子ユニット３３１と、第２電力接収端子ユニット３３２と、を有する。
【０００８】
前記コンピューター３００の前記光学ドライブ接続ポート３２に光学ドライブ２００を挿入するときには、第１電源は、電力供給端子ユニット３２２を介して第１電力Ｐ１を光学ドライブ２００に供給し、前記電力ガイドレール３５を介して第２電力Ｐ２を、前記制御処理モジュール３１と、他の電力を必要するコンピューターの関連装置（図示せず）とに供給する。前記光学ドライブ２００は、第１情報端子ユニット３２１を介して光学ドライブ情報Ｓ１を前記制御処理モジュール３１に伝送する。
【０００９】
図３を参照する。図３は第２電池接続ポートを有する従来のコンピューターに光学ドライブ型電池を挿入した状態の模式図である。光学ドライブ収容台Ｈ２に第１電池接続ポート４１の光学ドライブ型電池４００を挿入し、且つ前記第１電池接続ポート４１と第２電池接続ポート３３を電気的に連接するときには、前記第１電池接続ポート４１の第１電力供給端子ユニットが第２電力接収端子ユニット３３２と電気的に連接することにより、第３電力が電力ガイドレール３５を介して前記コンピュータ３００に供給され、なお、第１電池情報端子ユニット４１２が第２電池情報端子ユニット３３１と通信的に連接することにより、電池情報Ｓ２が前記コンピュータ３００に伝送される。
【００１０】
従来の前記コンピュータ３００は、前記光学ドライブ収容台に前記光学ドライブ型電池４００を配置することにより、前記コンピュータ３００に供給する電力を増加することができるが、前記コンピュータ３００に、前記光学ドライブ型電池４００と電気的に連接する前記第２電池接続ポート３３を設けることが必要である。そうすると、前記コンピュータ３００の内部にある電子回路が大幅に増加し、製造コストが増加する。
【００１１】
上記の説明から明らかなように、前記コンピュータ１００によれば、電力の持続能力が不足であるので、ユーザはコンピュータの電力残留状況を頻繁に注意することが必要であり、なお、前記コンピュータ３００によれば、前記第２電池接続ポート３３を設けることが必要であるため、前記コンピュータ３００の内部にある電子回路が大幅に増加し、製造コストが増加する問題があった。
【発明の概要】
【発明が解決しようとする課題】
【００１２】
本発明の主な目的は、接続ポートを増設せずに、従来の光学ドライブ接続ポートに、光学ドライブの代りに光学ドライブ型電池を電気的に連接することにより、光学ドライブ型電池はコンピュータの別の電力供給源とすることができるコンピューターと光学ドライブ型電池を供給することにある。
【課題を解決するための手段】
【００１３】
本発明のコンピューターによると、光学ドライブ、又は光学ドライブ型電池を電気的に連接可能であり、第１光学ドライブ接続ポートと、電力切替回路と、第１電源と、を含むコンピューターにおいて、
前記第１光学ドライブ接続ポートは、光学ドライブ情報端子ユニットと、電池情報端子ユニットと、電力供給/接収端子ユニットと、を含み、
前記電力切替回路は、前記第１光学ドライブ接続ポートと電気的に連接し、
前記第１電源は、前記電力切替回路と電気的に連接し、前記コンピュータが光学ドライブと電気的に連接するときに、前記電力切替回路を介して第１電力を前記光学ドライブに供給し、
前記コンピュータが光学ドライブと電気的に連接するときには、前記光学ドライブ情報端子ユニットと前記電力供給/接収端子ユニットとが前記光学ドライブと電気的に連接し、なお、前記コンピュータが光学ドライブ型電池と電気的に連接するときには、前記電池情報端子ユニットと前記電力供給/接収端子ユニットとが前記光学ドライブ型電池と電気的に連接し、前記光学ドライブ型電池は前記電力切替回路を介して第２電力を供給することを特徴とする。
【００１４】
本発明のコンピューターによると、前記光学ドライブは、CD-ROM読取りモジュールと、第２光学ドライブ接続ポートと、を有し、前記コンピュータが光学ドライブと電気的に連接するときには、前記第２光学ドライブ接続ポートが第１光学ドライブ接続ポートと通信的に連接し、前記第１光学ドライブ接続ポートの前記光学ドライブ情報端子ユニットにより光学ドライブの情報が前記コンピュータに伝送され、前記第１電源は、前記電力切替回路と前記第１光学ドライブ接続ポートの前記電力供給/接収端子ユニットとを介して、前記第１電力を前記光学ドライブに供給することを特徴とする。
【００１５】
本発明のコンピューターによると、前記光学ドライブ型電池は電池接続ポートを有し、前記コンピュータが光学ドライブ型電池と電気的に連接するときには、前記電池接続ポートが前記第１光学ドライブ接続ポートと電気的に連接し、前記第１光学ドライブ接続ポートの前記電力供給/接収端子ユニットと前記電力切替回路とを介して前記第２電力が前記コンピュータに供給されると同時に、前記第１光学ドライブ接続ポートの前記電池情報端子ユニットを介して電池の情報が前記コンピュータに伝送されることを特徴とする。
【００１６】
本発明のコンピューターによると、更に、前記電力切替回路と電気的に連接する電力ガイドレールを含み、前記電力ガイドレールにより、前記コンピュータは、前記光学ドライブ型電池と電気的に連接するときに、前記第２電力を接収することができることを特徴とする。
【００１７】
本発明のコンピューターによると、前記電力切替回路は、第１ダイオードと、第２ダイオードと、を含み、前記第１ダイオードは、その陽極端が前記第１電源と電気的に連接し、その陰極端が前記電力供給/接収端子ユニットと電気的に連接し、前記第２ダイオードは、その陽極端が前記電力ガイドレールと電気的に連接し、その陰極端が前記電力供給/接収端子ユニットと電気的に連接することを特徴とする。
【００１８】
本発明のコンピューターによると、前記電力切替回路は、更に、スイッチを含み、前記スイッチは、前記電力ガイドレールと前記電力供給/接収端子ユニットの間に設けられ、前記電力ガイドレール及び前記電力供給/接収端子ユニットと電気的に連接し、且つ制御処理モジュールと通信的に連接し、前記制御処理モジュールからのスイッチ制御信号を接収すると、前記スイッチの開閉を切替えることができることを特徴とする。
【００１９】
本発明の光学ドライブ型電池によると、上記のコンピュータに適用可能であり、電池接続ポートを有し、
前記電池接続ポートは、
前記第１光学ドライブ接続ポートの前記電力供給/接収端子ユニットと電気的に連接することにより、前記第２電力を前記コンピュータに供給する第３電力供給端子ユニットと、
前記光学ドライブ接続ポートの前記電池情報端子ユニットと通信的に連接することにより、電池の資料を前記コンピュータに伝送する第３電池情報端子ユニットと、
を備えることを特徴とする。
【発明の効果】
【００２０】
本発明のコンピューターと光学ドライブ型電池によれば、接続ポートを増設せずに、従来の光学ドライブ接続ポートに、光学ドライブの代りに光学ドライブ型電池を電気的に連接することにより、光学ドライブ型電池はコンピュータの別の電力供給源とすることができるため、コンピュータの電力の持続能力が増加し、そして電池接続ポートを別に設ける必要がないため、コンピュータの内部にある電子回路を大幅に増加することが必要なくなり、製造コストが減少するという効果を有する。
【図面の簡単な説明】
【００２１】
【図１】光学ドライブを有する従来のコンピューターを示す模式図である。
【図２】第２電池接続ポートを有する従来のコンピューターに光学ドライブを挿入した状態の模式図である。
【図３】第２電池接続ポートを有する従来のコンピューターに光学ドライブ型電池を挿入した状態の模式図である。
【図４】本発明のコンピューターに光学ドライブを挿入した状態の模式図である。
【図５】本発明のコンピューターに光学ドライブ型電池を挿入した状態の模式図である。
【図６】本発明に係る電力切替回路の一実施形態を示す模式図である。
【発明を実施するための形態】
【００２２】
以下、本発明の実施の形態を図面に基づいて説明する。
まず、図４及び図５を参照する。図４は本発明のコンピューターに光学ドライブを挿入した状態の模式図であり、図５は本発明のコンピューターに光学ドライブ型電池を挿入した状態の模式図である。本発明のコンピュータ５００は、光学ドライブ２００、又は光学ドライブ型電池６００と電気的に連接することができ、第１光学ドライブ接続ポート５１と、電力切替回路５２と、第１電源５３と、を含む。
【００２３】
前記第１光学ドライブ接続ポート５１は、光学ドライブ情報端子ユニット５１１と、電池情報端子ユニット５１２と、電力供給/接収端子ユニット５１３と、を含む。前記光学ドライブ情報端子ユニット５１１と前記電池情報端子ユニット５１２と前記電力供給/接収端子ユニット５１３の端子の総数は、従来の光学ドライブ接続ポート１２の第１情報端子ユニット１２１と電力供給端子ユニット１２２の端子の総数と同じであることが好ましい。前記第１光学ドライブ接続ポート５１は光学ドライブ収容台Ｈ３に収容される。前記電力切替回路５２は前記第１光学ドライブ接続ポート５１と電気的に連接する。前記第１電源５３は、前記電力切替回路５２と電気的に連接し、前記コンピュータ５００が前記光学ドライブ２００と電気的に連接するときに、前記電力切替回路５２を介して第１電力Ｐ４を前記光学ドライブ２００に供給する。
【００２４】
本実施形態では、前記コンピュータ５００は、更に、制御処理モジュール５４と、電力ガイドレール５５と、を含む。前記制御処理モジュール５４は前記第１光学ドライブ接続ポート５１及び電力ガイドレール５５と通信的に連接する。前記電力ガイドレール５５は、前記電力切替回路５２及び前記第１電源５３と電気的に連接し、前記コンピュータ５００が前記光学ドライブ２００と電気的に連接するときに、前記第１電源５３からメーン電力Ｐ５を接収して電力を必要する他の関連装置（図示せず）に供給する。
【００２５】
前記コンピュータ５００が前記光学ドライブ２００と電気的に連接するときには、前記光学ドライブ情報端子ユニット５１１及び前記電力供給/接収端子ユニット５１３が前記光学ドライブ２００と電気的に連接する。具体的には、前記コンピュータ５００が前記光学ドライブ２００と電気的に連接するときには、第２光学ドライブ接続ポート２２が前記第１光学ドライブ接続ポート５１と電気的に連接し、第２情報端子ユニット２２１が前記光学ドライブ情報端子ユニット５１１と通信的に連接し、前記電力接収端子ユニット２２２が前記電力供給/接収端子ユニット５１３と電気的に連接し、前記第１光学ドライブ接続ポート５１の前記光学ドライブ情報端子ユニット５１１を介して光学ドライブ情報Ｓ３を前記制御処理モジュール５４に伝送する。なお、前記第１電源５３は、前記電力切替回路５２と前記第１光学ドライブ接続ポート５１の前記電力供給/接収端子ユニット５１３とを介して第１電力Ｐ４を前記光学ドライブ２００に供給する。
【００２６】
前記コンピュータ５００が前記光学ドライブ型電池６００と電気的に連接するときには、前記電池情報端子ユニット５１２及び前記電力供給/接収端子ユニット５１３が前記光学ドライブ型電池６００と電気的に連接し、前記光学ドライブ型電池６００が前記電力切替回路５２を介して第２電力Ｐ６を供給する。具体的には、前記光学ドライブ型電池６００が電池接続ポート６１を有し、前記電池接続ポート６１は、第３電力供給端子ユニット６１１と、第３電池情報端子ユニット６１２と、を含み、前記光学ドライブ型電池６００が前記コンピュータ５００と電気的に連接するときには、前記電池接続ポート６１が前記第１光学ドライブ接続ポート５１と電気的に連接し、前記第３電力供給端子ユニット６１１が前記電力供給/接収端子ユニット５１３と電気的に連接し、前記第３電池情報端子ユニット６１２が前記電池情報端子ユニット５１２と通信的に連接し、前記第１光学ドライブ接続ポート５１の前記電力供給/接収端子ユニット５１３と前記電力切替回路５２と前記電力ガイドレール５５を介して第２電力Ｐ６を前記コンピュータ５００に供給し、且つ前記第１光学ドライブ接続ポート５１の前記電池情報端子ユニット５１２を介して電池情報Ｓ４を前記コンピュータ５００に伝送する。
【００２７】
図６を参照する。図６は本発明に係る電力切替回路の一実施形態を示す模式図である。本実施形態では、前記電力切替回路５２は、第１ダイオード５２１と、第２ダイオード５２２と、を含む。前記第１ダイオード５２１は、その陽極端が前記第１電源５３の接点Ｂと電気的に連接し、その陰極端が前記電力供給/接収端子ユニット５１３の接点Ａと電気的に連接する。前記第２ダイオード５２２は、その陽極端が前記電力ガイドレール５５の接点Ｃと電気的に連接し、その陰極端が前記電力供給/接収端子ユニット５１３の接点Ａと電気的に連接する。
【００２８】
例えば前記コンピュータ５００に前記電力切替回路５２を採用する場合には、前記コンピュータ５００が前記光学ドライブ２００と電気的に連接するときに、第１電力Ｐ４は、前記第１電源５３から、前記接点Ｂと前記第１ダイオード５２１と前記接点Ａと前記電力供給/接収端子ユニット５１３を順次に経由して、前記光学ドライブ２００に供給する。なお、前記コンピュータ５００が前記光学ドライブ型電池６００と電気的に連接するときに、第２電力Ｐ６は、前記光学ドライブ型電池６００から、前記電力供給/接収端子ユニット５１３と前記接点Ａと前記第２ダイオード５２２と前記接点Ｃと前記電力ガイドレール５５を順次に経由して、前記制御処理モジュール５４と他の電力を必要するコンピューターの関連装置（図示せず）とに供給する。
【００２９】
前記電力切替回路５２は、更に、スイッチ５２３を含み、前記スイッチ５２３は、前記電力ガイドレール５５と前記電力供給/接収端子ユニット５１３の間に設けられ、前記電力ガイドレール５５及び前記電力供給/接収端子ユニット５１３と電気的に連接し、且つ前記制御処理モジュール５４と通信的に連接し、前記制御処理モジュール５４からのスイッチ制御信号Ｓ５を接収すると、前記スイッチ５２３の開閉を切替えることができる。例えば前記制御処理モジュール５４が電池情報Ｓ４を接収したときには、スイッチ制御信号Ｓ５が伝送されて前記スイッチ５２３を開けることができ、そうすると、前記電力ガイドレール５５が前記電力供給/接収端子ユニット５１３と電気的に連接するようになり、第２電力Ｐ６の前記第２ダイオード５２２を経由することによって発生する電圧ロスを無くすことができ、電力の利用効率を向上することができる。
【００３０】
なお、本発明は前記実施の形態に限定されるものではなく、本発明の趣旨に基づいて種々変形させることが可能であり、それらを本発明の範囲から排除するものではない。
【符号の説明】
【００３１】
１１：制御処理モジュール、１２：光学ドライブ接続ポート、１３：第１電源、１４：電力ガイドレール、２１：CD-ROM読取りモジュール、２２：第２光学ドライブ接続ポート、３１：制御処理モジュール、３２：光学ドライブ接続ポート、３３：第２電池接続ポート、３４：第１電源、３５：電力ガイドレール、４１：第１電池接続ポート、５１：第１光学ドライブ接続ポート、５２：電力切替回路、５３：第１電源、５４：制御処理モジュール、５５：電力ガイドレール、６１：電池接続ポート、１００：コンピュータ、１２１：第１情報端子ユニット、１２２：電力供給端子ユニット、２００：光学ドライブ、２２１：第２情報端子ユニット、２２２：電力接収端子ユニット、３００：コンピュータ、３２１：第１情報端子ユニット、３２２：電力供給端子ユニット、３３１：第２電池情報端子ユニット、３３２：第２電力接収端子ユニット、４００：光学ドライブ型電池、４１１：第１電力供給端子ユニット、４１２：第１電池情報端子ユニット、５００：コンピュータ、５１１：光学ドライブ情報端子ユニット、５１２：電池情報端子ユニット、５１３：電力供給/接収端子ユニット、５２１：第１ダイオード、５２２：第２ダイオード、５２３：スイッチ、６００：光学ドライブ型電池、６１１：第３電力供給端子ユニット、６１２：第３電池情報端子ユニット、Ｈ１：光学ドライブ収容台、Ｈ２：光学ドライブ収容台、Ｈ３：光学ドライブ収容台、Ｐ１：第１電力、Ｐ２：第２電力、Ｐ３：第３電力、Ｐ４：第１電力、Ｐ５：メーン電力、Ｐ６：第２電力、Ｓ１：光学ドライブ情報、Ｓ２：電池情報、Ｓ３：光学ドライブ情報、Ｓ４：電池情報、Ｓ５：スイッチ制御信号。
【産業上の利用可能性】
【００３２】
本発明は、コンピューターに適用することができる。
【図１】
2011090659.tif 000003
【図２】
2011090659.tif 000004
【図３】
2011090659.tif 000005
【図４】
2011090659.tif 000006
【図５】
2011090659.tif 000007
【図６】
2011090659.tif 000008